(57)【要約】      （修正有）【課題】容器自体が柔らかい材料から形成されたものに好都合に適用することができるアダプタを提供すること。【解決手段】容器の注出部に装着されるアダプタ本体８と、アダプタ本体８に設けられた注出筒部１０とを備えたアダプタ。アダプタ本体８は、筒状周側壁１２及び端壁部１４とを有し、筒状周壁部１２は、注出部の片側を覆う第１壁部１６と、その他側を覆う第２壁部１８とを有する。例えば、第１壁部１６が端壁部１４に設けられ、第２壁部１８が、装着状態及びこの装着状態を解除する展開状態との間を展開自在に第１壁部１６に設けられている。また、端壁部１４には、容器の注出部内に挿入される挿入筒部２０が設けられ、前記挿入筒部２０は、先端に向けて外径が漸減するテーパ部が設けられている。【選択図】図３
2010247884.tif 000002
【特許請求の範囲】
【請求項１】
内容物が充填された容器の注出部に着脱自在に装着されるアダプタ本体と、前記注出部からの前記内容物を注出するための注出筒部とを備え、前記アダプタ本体は、前記容器の前記注出部を覆うように装着される筒状周側壁と、前記筒状周側壁の一端部に設けられた端壁部とを有し、前記端壁部に前記注出筒部が設けられているアダプタにおいて、
前記筒状周壁部は、前記容器の前記注出部の片側を覆う第１壁部と、その他側を覆う第２壁部とを有し、前記第１及び第２壁部のいずれか一方の壁部が前記端壁部に設けられ、それらの他方の壁部が、前記注出部を覆う装着状態及びこの装着状態を解除する展開状態との間を展開自在に前記一方の壁部に設けられており、
前記端壁部には、前記容器の前記注出部に挿入される挿入筒部が設けられ、前記挿入筒部は、先端に向けて外径が漸減するテーパ部が設けられており、
また、前記第１及び第２壁部に関連して、前記他方の壁部を前記装着状態に保持するためのロック保持手段が設けられていることを特徴とするアダプタ。
【請求項２】
前記他方の壁部の内周面には、前記容器の前記注出部に挿入される前記挿入筒状部との間で前記注出部を挟持するための突起部が設けられていることを特徴とする請求項１に記載のアダプタ。
【請求項３】
前記他方の壁部の突起部は、その壁部の周方向の実質上全域にわたって挟持するように設けられていることを特徴とする請求項２に記載のアダプタ。
【請求項４】
前記一方の壁部の内周面には、前記容器の前記注出部への挿入方向に延びる突条が設けられ、前記突条には、前記端壁部に向けて径方向内方に傾斜する傾斜案内面が設けられていることを特徴とする請求項１〜３のいずれかに記載のアダプタ。
【請求項５】
前記ロック保持手段は、前記一方の壁部に設けられたロック用開口と、前記他方の壁部に設けられた係合爪とから構成され、前記係合爪の爪部が前記一方の壁部の内側から前記ロック用開口に解除自在に係合されることを特徴とする請求項１〜４のいずれかに記載のアダプタ。
【発明の詳細な説明】
【技術分野】
【０００１】
本発明は、内容物が充填された容器の注出部に着脱自在に装着されるアダプタに関する。
【背景技術】
【０００２】
容器の注出部に装着するアダプタとして、例えば、容器の注出部に装着されるアダプタ本体及びこのアダプタ本体から延びる注出筒部を備えたものが知られている（例えば、特許文献１参照）。このアダプタでは、容器の注出部の外周面に雄ねじ部が設けられ、またアダプタ本体の内周面に雌ねじ部が設けられ、雄ねじ部と雌ねじ部とを螺合することによって、アダプタが容器の注出部に着脱自在に装着される。
【０００３】
このアダプタを装着した状態において容器を押圧すると、容器内の充填物が注出部からアダプタの注出筒部を通して外部に注出される。このとき、アダプタの注出筒部が所望長さ延びているので、この注出筒部を種々のチューブに差し込むことができ、このチューブを通して人に容易に供給することができる。
【先行技術文献】
【特許文献】
【０００４】
【特許文献１】特開２００８−５０００９号公報
【発明の概要】
【発明が解決しようとする課題】
【０００５】
しかしながら、上述したアダプタでは、螺合によって容器の注出部に装着される構成である故に、適用するに際し、注出部がある程度の剛性を有するものでなければならず、注出部が柔らかい容器に適用することができない。
【０００６】
容器の一例としてゼリー状の内容物を充填するものがあり、このような容器では、容器自体が例えばポリエチレンから形成されている。この種の容器では、容器全体が柔らかく、注出部に雄ねじ部を設けることが難しく、上述したアダプタを適用することができない。
【０００７】
本発明の目的は、容器自体が柔らかい材料から形成されたものに好都合に適用することができるアダプタを提供することである。
【課題を解決するための手段】
【０００８】
本発明の請求項１に記載のアダプタは、内容物が充填された容器の注出部に着脱自在に装着されるアダプタ本体と、前記注出部からの前記内容物を注出するための注出筒部とを備え、前記アダプタ本体は、前記容器の前記注出部を覆うように装着される筒状周側壁と、前記筒状周側壁の一端部に設けられた端壁部とを有し、前記端壁部に前記注出筒部が設けられているアダプタにおいて、
前記筒状周壁部は、前記容器の前記注出部の片側を覆う第１壁部と、その他側を覆う第２壁部とを有し、前記第１及び第２壁部のいずれか一方の壁部が前記端壁部に設けられ、それらの他方の壁部が、前記注出部を覆う装着状態及びこの装着状態を解除する展開状態との間を展開自在に前記一方の壁部に設けられており、
前記端壁部には、前記容器の前記注出部に挿入される挿入筒部が設けられ、前記挿入筒部は、先端に向けて外径が漸減するテーパ部が設けられており、
また、前記第１及び第２壁部に関連して、前記他方の壁部を前記装着状態に保持するためのロック保持手段が設けられていることを特徴とする。
【０００９】
また、本発明の請求項２に記載のアダプタでは、前記他方の壁部の内周面には、前記容器の前記注出部に挿入される前記挿入筒状部との間で前記注出部を挟持するための突起部が設けられていることを特徴とする。
【００１０】
また、本発明の請求項３に記載のアダプタでは、前記他方の壁部の突起部は、その壁部の周方向の実質上全域にわたって挟持するように設けられていることを特徴とする。
【００１１】
また、本発明の請求項４に記載のアダプタでは、前記一方の壁部の内周面には、前記容器の前記注出部への挿入方向に延びる突条が設けられ、前記突条には、前記端壁部に向けて径方向内方に傾斜する傾斜案内面が設けられていることを特徴とする。
【００１２】
更に、本発明の請求項５に記載のアダプタでは、前記ロック保持手段は、前記一方の壁部に設けられたロック用開口と、前記他方の壁部に設けられた係合爪とから構成され、前記係合爪の爪部が前記一方の壁部の内側から前記ロック用開口に解除自在に係合されることを特徴とする。
【発明の効果】
【００１３】
本発明の請求項１に記載のアダプタによれば、アダプタ本体の筒状周壁部が第１及び第２壁部から構成され、一方の壁部が端壁部に設けられ、他方の壁部がこの一方の壁部に展開自在に設けられ、更に端壁部に挿入筒部が設けられているので、他方の壁部を展開状態にした状態にて挿入筒部を容器の注出部に挿入し、この他方の壁部を閉じて装着状態にすることによって、アダプタを容器の注出部に装着することができ、簡単な操作でもって装着することができる。また、アダプタ本体の挿入筒部には先端に向けて外径が漸減するテーパ部が設けられているので、挿入筒部の先端側を容器の注出部に容易に挿入することができるとともに、この注出部に充分に挿入することによって、挿入筒部と注出部との間を確実にシールすることができ、内容物を注出する際における漏れを確実に防止することができる。また、ロック保持手段が設けられているので、他方の壁部を一方の壁部に対して装着状態にロック保持することができ、容器の注出部に装着した状態において、この注出部からの離脱を確実に防止することができる。
【００１４】
また、本発明の請求項２に記載のアダプタによれば、他方の壁部の内周面に突起部が設けられているので、容器の注出部への装着状態においては、この注出部がアダプタ本体の挿入筒状部と他方の壁部の突起部との間で挟持され、容器の注出部からのアダプタの抜けを防止することができる。
【００１５】
また、本発明の請求項３に記載のアダプタによれば、他方の壁部の突起部は、その壁部の周方向の実質上全域にわたって挟持するように設けられているので、容器の注出部を広範囲にわたって挟持ことができ、アダプタの抜けをより確実に防止することができる。
【００１６】
また、本発明の請求項４に記載のアダプタによれば、一方の壁部の内周面に突条が設けられているので、他方の壁部を装着状態に保持したときにおける容器の注出部の変形をこの突条によって抑えることができ、これによって、内容物を注出する際における漏れを防止することができる。また、この突条には、端壁部に向けて径方向内方に傾斜する傾斜案内面が設けられているので、アダプタ本体の挿入筒状部を容器の注出部に挿入する際に、注出部の先端部を一方の壁部の突条と挿入筒状部との間に導くことができ、これによって、アダプタ本体の装着を容易に行うことができる。
【００１７】
更に、本発明の請求項５に記載のアダプタによれば、ロック保持手段は、一方の壁部に設けられたロック用開口と、他方の壁部に設けられた係合爪とから構成され、係合爪の爪部が一方の壁部の内側からロック用開口に解除自在に係合されるので、他方の壁部を展開状態から装着状態にすることによって、この係合爪の爪部をロック用開口に係合させることができ、ロック保持手段によるロックを容易に行うことができる。
【図面の簡単な説明】
【００１８】
【図１】本発明に従うアダプタの一実施形態を示す正面図。
【図２】図１のアダプタ及びこれが装着される容器の注出部を示す背面図。
【図３】図１のアダプタを展開した状態で示す展開図。
【図４】図３に示す展開状態のアダプタを底面側から見た図。
【図５】図３におけるＶ−Ｖ線による断面図。
【図６】他の実施形態の展開状態のアダプタを底面側から見た図。
【発明を実施するための形態】
【００１９】
以下、添付図面を参照して、本発明に従うアダプタの実施形態について説明する。図１〜図５を参照して、図示のアダプタ２は、容器４の注出部６に装着されるアダプタ本体８と、このアダプタ本体８に一体的に設けられた注出筒部１０とを備えている。アダプタ本体８は、容器４の注出部６の周囲を覆うように装着される筒状周側壁１２と、この筒状周側壁１２の一端部（図１〜図３及び図５において上端部）に設けられた端壁部１４とを有し、筒状周側壁１２の他端側は開放されている。このようなアダプタ２は、例えば硬質ポリプロピレンを用いた射出成形により形成することができる。
【００２０】
この形態では、筒状周側壁１２は、容器４の注出部６の片側（図１において右側、図２において左側）を覆う第１壁部１６と、その注出部６の他側（図１において左側、図２において右側）を覆う第２壁部１８とから構成されている。第１壁部１６の上端部は端壁部１４の外周面に一体的に接続され、この第１壁部１６と第２壁部１８の側端部が接続部２０を介して一体的に接続され、この第２壁部１８は、この接続の変形が変形することによって、図１及び図２に示す装着状態と図３及び図４に示す展開常態との間を展開自在となっている。この装着状態においては、第１及び第２壁部１６，１８は相互に協働して円筒状の筒状周側壁１２を構成し、また展開常態においては、第１及び第２壁部１６，１８の内側を開放する。
【００２１】
このアダプタ本体８の端壁部１４の内面（図３において下側面、図４において紙面に対して手前側面）には、容器４の注出部６内に挿入される挿入筒部２０が設けられている。この挿入筒部２０は、端壁部１４の内面から開放された開口側に延びている。この形態では、挿入筒部２０は、その先端（図３において下方）に向けて外径が漸減するテーパ状に形成され、その全長にわたってテーパ部が設けられている。このようなテーパ部は、挿入筒部２０の全長にわたって設ける必要なはく、その一部、好ましくはその基部側（端壁部１４に接続された部位側）の一部に設けることによって、後述するシール効果を得ることができる。
【００２２】
この形態では、更に、挿入筒部２０の先端部が斜めにカットされて先端部が先細に形成されている（図３、図５参照）。このように先細にすることによって、挿入筒部２０の先端部の容器４の注出部６内への挿入が容易となり、アダプタ本体８の注出部６への装着をより簡単に且つ容易に行うことができる。
【００２３】
第１壁部１６の内周面には、径方向内方に突出する突条２２が設けられ、この突条２２は周方向に間隔をおいて二つ設けられている。一対の突条２２は端壁部１４の内面から第１壁部１６の開放端まで直線状に設けられ、それらの先端部に傾斜案内面２４が設けられ、かかる傾斜案内面２４は、端壁部１４に向けて径方向内方に傾斜するように形成されている。突条２２の先端部にこのように傾斜案内面２４を設けることによって、第１壁部１６の開放端側においては、突条２２と挿入筒部２０との間の空間の間隔が大きくなり、かかる空間への注出部６の先端部の進入が容易となり、これにより、アダプタ本体８の注出部６への装着が容易となる。このような突条２２は、一つでもよく、或いは周方向に間隔をおいて三つ以上設けるようにしてもよい。
【００２４】
また、第２壁部１８の上部内面には、径方向内方に突出する突起部２６が設けられ、この突起部２６は第２壁部１８の全幅にわたって周方向に延びている。この突起部２６の先端部は先細に形成され、容器４の注出部６への装着状態において、この注出部６の外周面に食い込むように作用し、挿入筒部２０との間に注出部６を確実に挟持するように構成される。また、この突起部２６は、第２壁部１８の周方向の実質上全域にわたって挟持するように設けられており、従って、装着状態においてこの注出部６の他側は、その周方向にわたって挿入筒部２０と突起部２６との間に挟持される。このように構成されているので、アダプタ２の容器４の注出部６からの離脱を確実に防止することができる。このような突起部２６は、実施形態のように一つでもよいが、軸方向（図３において上下方向、図４において紙面に垂直な方向）に間隔をおいて二つ以上設けるようにしてもよい。
【００２５】
第１壁部１６及び第２壁部１８に関連して、第２壁部１８を装着状態に保持するためのロック保持手段２８が設けられている。この形態のロック保持手段２８は、第１壁部１６の開放側（接続部２０が設けられている側とは反対側）に設けられたロック用開口３０（図１参照）と、第２壁部１８の開放側（接続部２０が設けられている側とは反対側）に設けられた係合爪３２から構成されている。係合爪３２の両側には周方向に延びるスリット３４が設けられ、このように一対のスリット３４を設けることによって、係合爪３２が周方向に細長くなって径方向内側に弾性変形可能に構成されている。この係合爪３２の先端部には外側に突出する爪部３６が設けられ、第２壁部１８を上記装着状態にすると、係合爪３２が径方向内側に弾性変形してその爪部３６が内側から第１壁部１６のロック用開口３０に解除自在に係合し、ロック保持手段２８がロック状態となる。尚、この実施形態では、第１壁部１６にロック用開口３０を設け、第２壁部１８に係合爪３２を設けているが、上述とは反対に、第１壁部１６に係合爪を設け、第２壁部１８にロック用開３０を設けるようにしてもよい。
【００２６】
注出筒部１０は、アダプタ本体８の端壁部１４の外面に設けられている。この注出部１０は、先端（図１〜図３及び図５において上方）に向けて外径が漸減するテーパ状に形成され、その外周面の所定部位には、軸方向（図１〜図３及び図５において上下方向）に間隔を置いて複数の環状突起４０が設けられている。
【００２７】
このアダプタ２では、挿入筒部２０、端壁部１４及び注出筒部１０を貫通して注出孔４２が設けられており（図５参照）、容器４内に充填された内容物が注出部６及びアダプタ２の注出孔４２を通して外部に注出される。容器４に充填される内容物は、例えばゼリー状の食品（例えば、アイソトニックゼリー）などであり、このようなゼリー状のものを容器４から押し出して注出するときのアダプタ２として好都合に用いることができる。尚、アダプタ２の注出部６の先端部は、例えば胃の中に直接的に食品を注入するために用いるチューブ型バンパー、チューブ型バルーンなどの注入チューブの注入部（図示せず）に挿入され、容器４内の内容物（例えば、アイソトニックゼリー）がアダプタ２及び注入チューブを通して胃の中に注入される。
【００２８】
次に、上述したアダプタ２の使用例について説明する。この容器４が注出部６の先端部を開封して注出する形態のものである場合、使用に際して、図２に一部示すように、まず注出部６の先端部を切断して開封する。次いで、ロック保持手段２８のロック状態を解除し（係合爪３２を径方向内方に押圧して外側に開くことによって、ロック状態を解除することができる）、第１壁部１６に対して第２壁部１８を外側に開いて図３及び図４に示す装着状態にする。
【００２９】
次に、この装着状態において、アダプタ２の挿入筒部２０を容器４の注出部６内に挿入する。挿入筒状２０はテーパ状に形成されて基部側に向けて外径が漸増されているので、挿入筒部２０を充分に挿入すると、容器４の注出部６の内周面がアダプタ本体８の挿入筒部２０の外周面に圧接され、この圧接状態によって、挿入筒部２０と注出部６との間がシールされ、容器４内の内容物の漏れが確実に防止される。この挿入の際には、挿入筒部２０が先細のテーパ状で、その先端部が斜めにカットされているので、挿入筒部２０の先端部の注出部６への挿入が容易となり、また第１壁部１６の一対の突条２２に傾斜案内面２４が設けられているので、一対の突条２２と挿入筒部２０との間への注出部６の先端部の進入が容易となり、容器４の注出部６へのアダプタ本体８の装着を容易に行うことができる。
【００３０】
このようにアダプタ本体８を装着した後に、第２壁部材１８を閉じて図１及び図２に示す装着状態にする。かく装着状態にすると、ロック保持手段２８の係合爪３２の爪部３６が内側から第１壁部１６のロック用開口３０に係合し、第２壁部１８が装着した状態にロック保持される。
【００３１】
この装着状態においては、容器４の注出部６の他側において、第２壁部１８の突起部２６が注出部６の外周面に食い込むように作用するので、容器４の注出部６はアダプタ２の突起部２６と挿入筒部２０の間に挟持され、これによって、容器４の注出部６からのアダプタ２の外れが確実に防止される。また、この装着状態においては、容器４の注出部６の片側において、注出部６の外周面が一対の突条２２によって支持されるので、注出部６の他側に突起部２６が作用することによるその片側における変形が抑えられ、これによって内容物の漏れを効果的に抑えることができる。
【００３２】
このようにして容器４の注出部６にアダプタ２を所要の通り着脱自在に装着することができ、注出部６を含む容器４が柔らかい材料（例えば、ポリエチレンなど）から形成されていても所要の通りに装着することができ、このような装着状態にて容器４を押圧すると、充填された内容物が押し出され、容器４の注出部６及びアダプタ２の注出孔４２を通して外部に注出される。
【００３３】
尚、アダプタ２を取り外すには、上述した説明から理解される如く、ロック保持手段２８の係合爪３２を径方向内方に押圧してロック状態を解除し、そして第２壁部１８を開いて展開状態にし、かかる展開状態にてアダプタ本体８を容器４から離れる方向に引いて注出部６から外せばよく、上述した簡単な操作でもって容器から取り外すことができる。
【００３４】
第２壁部における突起部は、図６に示すようにすることもできる。尚、図６において、図１〜図５に示す実施形態と実質上同一のものには同一の参照番号を付し、その説明を省略する。
【００３５】
この他の実施形態では、第２壁部１８の突起部２６Ａは、周方向に間隔をおいて設けられた一対の突部５２から構成され、各突部５２が略三角状に形成されている。尚、このような突起５２は周方向に間隔をおいて三つ以上設けるようにしてもよく、或いはこれら突部５２を軸方向（図６において紙面に対して垂直な方向）に間隔をおいて複数段設けるようにしてもよい。この実施形態のその他の構成は、上記実施形態と実質上同一である。
【００３６】
この実施形態において、アダプタ本体８を容器の注出部に装着して第２壁部１８を装着状態にすると、第２壁部１８の一対の突起５２が注出部に食い込むように作用し、従って、このように構成しても、一対の突起５２によって容器４の注出部６をアダプタ２Ａの挿入筒部２０との間に確実に挟持することができ、上述したと同様の作用効果が達成される。
【００３７】
以上、本発明に従うアダプタの実施形態について説明したが、本発明はかかる実施形態に限定されるものではなく、本発明の範囲を逸脱することなく種々の変形乃至修正が可能である。
【００３８】
例えば、上述した実施形態では、アダプタ本体８の端壁部１４に第１壁部１６を設け、この第１壁部１６に第２壁部１８を展開自在に接続しているが、このような構成とは反対に、アダプタ本体８の端壁部１４に第２壁部１８を設け、この第２壁部１８に第１壁部１６を展開自在に接続するようにしてもよい。
【符号の説明】
【００３９】
２，２Ａ  アダプタ
４  容器
６  注出部
８  アダプタ本体
１０  注出筒部
１２  筒状周側壁
１４  端壁部
１６  第１壁部
１８  第２壁部
２０  挿入筒部
２２  突条
２６，２６Ａ  突起部
２８  ロック保持手段
【図１】
2010247884.tif 000003
【図２】
2010247884.tif 000004
【図３】
2010247884.tif 000005
【図４】
2010247884.tif 000006
【図５】
2010247884.tif 000007
【図６】
2010247884.tif 000008